(57)【要約】【課題】信頼性を向上させることができるランプソケット及びこれを有する表示装置が提供される。【解決手段】表示装置はバックライトアセンブリ及びパネルアセンブリを含む。バックライトアセンブリはパネルアセンブリに光を供給する多数のランプを含む。多数のランプは両端部に各々リード端子を有し、リード端子は外部電源と連結したランプソケットと結合して多数のランプは電源を提供される。また、ランプソケットはソケットカバーを含むが、ソケットカバーはランプソケットの端子がリード端子を安定的にグリップできるようにランプソケットに挿入される。ソケットカバーは金属性材質で形成されるので、リード端子とランプソケットの端子との間に接触が不安定で発生されるスパークによって外形的に変形出来ない。したがって、リード端子とランプソケットの端子との間接触は安定である。【選択図】図１
2008117771.tif 000002
【特許請求の範囲】
【請求項１】
ベースボディと、
前記ベースボディに収納され、外部発光体の電極と連結されるリード端子と電気的に接触して、外部からの電源を前記外部発光体に提供する第１ソケット端子と、
前記ベースボディに収納され、前記第１ソケット端子と電気的に連結されて外部電源供給装置から提供される電源を前記第１ソケット端子に提供する第２ソケット端子と、
金属の材質を有し、前記ベースボディと前記第１ソケット端子との間に位置し、前記第１ソケット端子と結合して、前記リード端子を前記第１ソケット端子に固定させるソケットカバーとを含むことを特徴とするランプソケット。
【請求項２】
前記第１ソケット端子は、
第１補助端子と、
前記第１補助端子に対向する第２補助端子と、
前記第１及び第２補助端子から延長され、前記第１補助端子と前記第２補助端子とを前記第２ソケット端子に電気的に連結する第１連結部とを含み、
前記リード端子は、前記第１補助端子と前記第２補助端子間に受容され、前記リード端子は、前記第１及び第２補助端子によってグリップされることを特徴とする請求項１に記載のランプソケット。
【請求項３】
前記ソケットカバーは、
前記第１補助端子と結合する第１支持部と、
前記第１支持部に対向し、前記第２補助端子と結合する第２支持部と、
前記第１支持部及び前記第２支持部を電気的に連結する第２連結部と、
前記第１支持部を前記第２ソケット端子が位置した方向に延長した部分に形成された第１突出部によって前記ベースボディと結合される第１結合部と、
前記第１結合部に対向し、前記第２支持部を前記第２ソケット端子が位置した方向に延長した部分に形成された第２突出部によって前記ベースボディと結合される第２結合部とを含むことを特徴とする請求項２に記載のランプソケット。
【請求項４】
前記ベースボディは、
部分的に除去されて、前記第１結合部を受容し、前記第１突出部と結合する結合溝が形成された第１ボディ結合部と、
前記第１ボディ結合部に対向し、部分的に除去されて前記第２結合部を受容し、前記第２突出部と結合する結合溝が形成された第２ボディ結合部を含み、
前記ベースボディの側壁の上部が部分的に除去されて前記外部発光体を受容することを特徴とする請求項３に記載のランプソケット。
【請求項５】
前記ソケットカバーは、
前記第２連結部の節曲された部分を有し、前記ベースボディの一側端部と接触するフッキング部をさらに含み、前記ベースボディは、前記フッキング部に対応して部分的に除去されることを特徴とする第４項に記載のランプソケット。
【請求項６】
前記ソケットカバーは、
前記第１支持部の上端と前記第２支持部の上端を連結し、前記第１及び第２補助端子にグリップされた前記リード端子が前記第１及び第２補助端子から離脱することを防止する端子蓋部をさらに含むことを特徴とする請求項４に記載のランプソケット。
【請求項７】
前記端子蓋部の材質は、金属であることを特徴とする請求項６に記載のランプソケット。
【請求項８】
前記ソケットカバーの表面は、前記金属でコーティングされることを特徴とする第１項に記載のランプソケット。
【請求項９】
ベースボディと、
前記ベースボディに収納され、外部発光体のリード端子と電気的に接触して外部からの電源を前記外部発光体に提供する第１ソケット端子と、
前記ベースボディに収納され、前記第１ソケット端子と電気的に連結して外部電源供給装置から提供される電源を、前記第１ソケット端子に提供する第２ソケット端子と、
前記ベースボディと前記第１ソケット端子との間に位置し、前記第１ソケット端子と結合して前記リード端子を第１ソケット端子に固定させるソケットカバーとを含み、
前記ソケットカバーは、
前記第１ソケット端子の両端部をグリップして前記リード端子と前記第１ソケット端子との間の結合力を維持する支持部と、
金属の材質を有し、前記支持部に連結して前記第１ソケット端子にグリップされた前記リード端子が前記第１ソケット端子から離脱することを防止する端子蓋部とを含むことを特徴とするランプソケット。
【請求項１０】
光を発生し、両端部にリード端子を各々有する多数のランプと、
前記ランプのリード端子と電気的に結合するランプソケットと、
前記ランプソケットに電源を供給するインバータと、
前記光を入力されて映像を表示する表示パネルとを含み、
前記ランプソケットは、
ベースボディと、
前記ベースボディに収納され、前記ランプのリード端子と電気的に接触して前記インバータから提供される電源を前記ランプに提供する第１ソケット端子と、
前記ベースボディに収納され、前記第１ソケット端子と電気的に連結して前記インバータから提供される電源を前記第１ソケット端子に提供する第２ソケット端子と、
金属の材質を有し、前記ベースボディと前記第１ソケット端子との間に位置し、前記第１ソケット端子と結合して前記リード端子を前記第１ソケット端子に固定させるソケットカバーとを含むことを特徴とする表示装置。
【請求項１１】
前記第１ソケット端子は、
第１補助端子と、
前記第１補助端子に対向する第２補助端子と、
前記第１及び第２補助端子から延長されて前記第１補助端子と前記第２補助端子とを前記第２ソケット端子と電気的に連結する第１連結部を含み、
前記リード端子は、前記第１補助端子と前記第２補助端子との間に受容され、前記リード端子は、前記第１及び第２補助端子によってグリップされることを特徴とする請求項１０に記載の表示装置。
【請求項１２】
前記ソケットカバーは、
前記第１補助端子と結合する第１支持部と、
前記第１支持部に対向し、前記第２補助端子と結合する第２支持部と、
前記第１支持部及び前記第２支持部を電気的に連結する第２連結部と、
前記第１支持部を前記第２ソケット端子が位置した方向に延長した部分に形成された第１突出部によって前記ベースボディと結合する第１結合部と、
前記第１結合部に対向し、前記第２支持部を前記第２ソケット端子が位置した方向に延長した部分に形成された第２突出部によって前記ベースボディと結合する第２結合部とを含むことを特徴とする第１１項に記載の表示装置。
【請求項１３】
前記ベースボディは、
部分的に除去されて前記第１結合部を受容し、前記第１突出部と結合する結合溝が形成された第１ボディ結合部と、
前記第１ボディ結合部に対向し、部分的に除去されて前記第２結合部を受容し、前記第２突出部と結合する結合溝が形成された第２ボディ結合部とを含み、
前記ベースボディの側壁の上部が部分的に除去されて前記外部発光体を受容することを特徴とする請求項１２に記載の表示装置。
【請求項１４】
前記ソケットカバーは、
前記第２連結部の節曲された部分を有し、前記ベースボディの一側端部と接触するフッキング部をさらに含み、前記ベースボディは、前記フッキング部に対応して部分的に除去されることを特徴とする請求項１３に記載の表示装置。
【請求項１５】
前記ソケットカバーは、
前記第１支持部の上端と前記第２支持部の上端を連結し、前記第１及び第２補助端子にグリップされた前記リード端子が前記第１及び第２補助端子から離脱することを防止する端子蓋部をさらに含むことを特徴とする請求項１３に記載の表示装置。
【請求項１６】
前記端子蓋部の材質は、金属であることを特徴とする請求項１５に記載の表示装置。
【請求項１７】
前記ソケットカバーの表面は、前記金属でコーティングされることを特徴とする請求項１０に記載のランプソケット。
【請求項１８】
提供されるランプの固いリード端子と弾性電気接触を形成するよう配置され、弾性を有する第１導電材料からなる第１弾性接触部材を備えるランプソケットに内蔵され、前記第１弾性接触部材と結合し、前記第１弾性接触部材及び前記リード端子との間に発生する電気スパークから発生される熱に露出されても、前記第１弾性接触部材及び前記リード端子が電気的に連結されることを維持させるソケットカバーにおいて、
前記第１導電材料より耐熱性が優れ、弾性が少ない第２導電材料からなって、前記第１弾性接触部材と前記リード端子との間に発生する電気スパークから発生される熱を受けるとしても、前記第１弾性接触部材と前記リード端子との間に電気接触が維持されることを特徴とするソケットカバー。
【発明の詳細な説明】
【技術分野】
【０００１】
本発明は、ランプソケット及びそれを有する表示装置に関する。
【背景技術】
【０００２】
表示装置は、映像を表示するパネルアセンブリ及び前記パネルアセンブリに光を供給するバックライトアセンブリを含む。
前記バックライトアセンブリは、光を発生する多数のランプ、前記多数のランプに電源を供給するインバータ、及び前記多数のランプのリード端子と電気的に接触して前記インバータから提供される電源を前記多数のランプに提供するランプソケットを含む。
【０００３】
前記ランプソケットは、前記リード端子との電気的接触が不安定ならば、前記リード端子と前記ランプソケットとの間に電気的に接触する部分でスパークが発生してしまう。前記スパークが発生すると、前記スパークの熱が前記ランプソケットの構造的な変形を起こして、前記ランプソケットとリード端子との間の電気的な接触を断絶させることができる。
【発明の開示】
【発明が解決しようとする課題】
【０００４】
本発明の目的は、信頼性を向上させたランプソケット及びそれを有する表示装置を提供することにある。
【課題を解決するための手段】
【０００５】
発明１は、前記の本発明の目的を達成するためのランプソケットは、前記ベースボディに収納され、外部発光体の電極と連結されるリード端子と電気的に接触して、外部からの電源を前記外部発光体に提供する第１ソケット端子と、前記ベースボディに収納され、前記第１ソケット端子と電気的に連結されて外部電源供給装置から提供される電源を前記第１ソケット端子に提供する第２ソケット端子と、金属の材質を有し、前記ベースボディと前記第１ソケット端子との間に位置し、前記第１ソケット端子と結合して、前記リード端子を前記第１ソケット端子に固定させるソケットカバーとを含むことを特徴とする。したがって、前記ソケットカバーによって前記第１ソケット端子は、前記リード端子が離脱されないように前記リード端子をグリップする。
【０００６】
また、前記ソケットカバーは、金属の材質を有する。したがって、前記第１ソケット端子及び前記リード端子との間の接触が不安定で、前記第１ソケット端子及び前記リード端子との間に電気的に接触する部分でスパークが発生しても、前記ソケットカバーは、前記スパークによって前記ソケットカバーの形状が変形しない。前記ソケットカバーがスパークによって形状が変形しないため、前記ソケットカバーは、前記第１ソケット端子及び前記リード端子との間の結合力を永久的に維持させることができる。
【０００７】
発明２は、発明１において、前記第１ソケット端子は、第１補助端子と、前記第１補助端子に対向する第２補助端子と、前記第１及び第２補助端子から延長され、前記第１補助端子と前記第２補助端子とを前記第２ソケット端子に電気的に連結する第１連結部とを含み、前記リード端子は、前記第１補助端子と前記第２補助端子間に受容され、前記リード端子は、前記第１及び第２補助端子によってグリップされることを特徴とする。
【０００８】
発明３は、発明２において、前記ソケットカバーは、前記第１補助端子と結合する第１支持部と、前記第１支持部に対向し、前記第２補助端子と結合する第２支持部と、前記第１支持部及び前記第２支持部を電気的に連結する第２連結部と、前記第１支持部を前記第２ソケット端子が位置した方向に延長した部分に形成された第１突出部によって前記ベースボディと結合される第１結合部と、前記第１結合部に対向し、前記第２支持部を前記第２ソケット端子が位置した方向に延長した部分に形成された第２突出部によって前記ベースボディと結合される第２結合部とを含むことを特徴とする。
【０００９】
発明４は、発明３において、前記ベースボディは、部分的に除去されて、前記第１結合部を受容し、前記第１突出部と結合する結合溝が形成された第１ボディ結合部と、前記第１ボディ結合部に対向し、部分的に除去されて前記第２結合部を受容し、前記第２突出部と結合する結合溝が形成された第２ボディ結合部を含み、前記ベースボディの側壁の上部が部分的に除去されて前記外部発光体を受容することを特徴とする。
【００１０】
発明５は、発明４において、前記ソケットカバーは、前記第２連結部の節曲された部分を有し、前記ベースボディの一側端部と接触するフッキング部をさらに含み、前記ベースボディは、前記フッキング部に対応して部分的に除去されることを特徴とする。
発明６は、発明４において、前記ソケットカバーは、前記第１ソケット端子にグリップされた前記リード端子が前記第１ソケット端子から離脱することを防止する端子蓋部をさらに含むことができる。具体的に、端子蓋部は、前記第１支持部の上端と前記第２支持部の上端を連結し、前記第１及び第２補助端子にグリップされた前記リード端子が前記第１及び第２補助端子から離脱することを防止する。
【００１１】
発明７は、発明６において、前記端子蓋部の材質は、金属であることを特徴とする。
前記リード端子が前記第１ソケット端子から離脱しても、前記端子蓋部は、金属の材質を有するため、前記リード端子を前記第１ソケット端子に電気的に接触させることができる。したがって、前記リード端子が前記第１ソケット端子から離脱しても、前記リード端子は、前記端子蓋部によって前記第１ソケット端子に安定的に接触される。
【００１２】
また、前記端子蓋部は、前記リード端子をカバーするため、前記端子蓋部によって前記リード端子から発生されるスパーク及び前記スパークの熱が遮蔽される。したがって、前記ソケットカバーは、前記端子蓋部を除いて、非金属材質で形成されることができる。すなわち、前記ソケットカバーは、前記端子蓋部だけ金属材質で形成されても、前記ソケットカバーは、前記スパーク及び前記スパークの熱に対して耐久性を有することができる。
【００１３】
発明８は、発明１において、前記ソケットカバーの表面は、前記金属でコーティングされることを特徴とする。
発明９は、ベースボディと、前記ベースボディに収納され、外部発光体のリード端子と電気的に接触して外部からの電源を前記外部発光体に提供する第１ソケット端子と、前記ベースボディに収納され、前記第１ソケット端子と電気的に連結して外部電源供給装置から提供される電源を、前記第１ソケット端子に提供する第２ソケット端子と、前記ベースボディと前記第１ソケット端子との間に位置し、前記第１ソケット端子と結合して前記リード端子を第１ソケット端子に固定させるソケットカバーとを含み、前記ソケットカバーは、前記第１ソケット端子の両端部をグリップして前記リード端子と前記第１ソケット端子との間の結合力を維持する支持部と、金属の材質を有し、前記支持部に連結して前記第１ソケット端子にグリップされた前記リード端子が前記第１ソケット端子から離脱することを防止する端子蓋部とを含むことを特徴とするランプソケットを提供する。
【００１４】
本発明の実施形態は、前記ランプソケットを有する表示装置に拡大できる。
発明１０は、光を発生し、両端部にリード端子を各々有する多数のランプと、前記ランプのリード端子と電気的に結合するランプソケットと、前記ランプソケットに電源を供給するインバータと、前記光を入力されて映像を表示する表示パネルとを含む。前記ランプソケットは、ベースボディと、前記ベースボディに収納され、前記ランプのリード端子と電気的に接触して前記インバータから提供される電源を前記ランプに提供する第１ソケット端子と、前記ベースボディに収納され、前記第１ソケット端子と電気的に連結して前記インバータから提供される電源を前記第１ソケット端子に提供する第２ソケット端子と、金属の材質を有し、前記ベースボディと前記第１ソケット端子との間に位置し、前記第１ソケット端子と結合して前記リード端子を前記第１ソケット端子に固定させるソケットカバーとを含むことを特徴とする表示装置を提供する。
【００１５】
発明１１は、発明１０において、前記第１ソケット端子は、第１補助端子と、前記第１補助端子に対向する第２補助端子と、前記第１及び第２補助端子から延長されて前記第１補助端子と前記第２補助端子とを前記第２ソケット端子と電気的に連結する第１連結部を含み、前記リード端子は、前記第１補助端子と前記第２補助端子との間に受容され、前記リード端子は、前記第１及び第２補助端子によってグリップされることを特徴とする。
【００１６】
発明１２は、発明１１において、前記ソケットカバーは、前記第１補助端子と結合する第１支持部と、前記第１支持部に対向し、前記第２補助端子と結合する第２支持部と、前記第１支持部及び前記第２支持部を電気的に連結する第２連結部と、前記第１支持部を前記第２ソケット端子が位置した方向に延長した部分形成された第１突出部によって前記ベースボディと結合する第１結合部と、前記第１結合部に対向し、前記第２支持部を前記第２ソケット端子が位置した方向に延長した部分に形成された第２突出部によって前記ベースボディと結合する第２結合部とを含むことを特徴とする。
【００１７】
発明１３は、発明１２において、前記ベースボディは、部分的に除去されて前記第１結合部を受容し、前記第１突出部と結合する結合溝が形成された第１ボディ結合部と、前記第１ボディ結合部に対向し、部分的に除去されて前記第２結合部を受容し、前記第２突出部と結合する結合溝が形成された第２ボディ結合部とを含み、前記ベースボディの側壁の上部が部分的に除去されて前記外部発光体を受容することを特徴とする。
【００１８】
発明１４は、発明１３において、前記ソケットカバーは、前記第２連結部の節曲された部分を有し、前記ベースボディの一側端部と接触するフッキング部をさらに含み、前記ベースボディは、前記フッキング部に対応して部分的に除去されることを特徴とする。
発明１５は、発明１３において、前記ソケットカバーは、前記第１支持部の上端と前記第２支持部の上端を連結し、前記第１及び第２補助端子にグリップされた前記リード端子が前記第１及び第２補助端子から離脱することを防止する端子蓋部をさらに含むことを特徴とする。
【００１９】
発明１６は、発明１５において、前記端子蓋部の材質は、金属であることを特徴とする。
発明１７は、発明１０において、前記ソケットカバーの表面は、前記金属でコーティングされることを特徴とする。
発明１８は、提供されるランプの固いリード端子と弾性電気接触を形成するよう配置され、弾性を有する第１導電材料からなる第１弾性接触部材を備えるランプソケットに内蔵され、前記第１弾性接触部材と結合し、前記第１弾性接触部材及び前記リード端子との間に発生する電気スパークから発生される熱に露出されても、前記第１弾性接触部材及び前記リード端子が電気的に連結されることを維持させるソケットカバーにおいて、前記第１導電材料より耐熱性が優れ、弾性が少ない第２導電材料からなって、前記第１弾性接触部材と前記リード端子との間に発生する電気スパークから発生される熱を受けるとしても、前記第１弾性接触部材と前記リード端子との間に電気接触が維持されることを特徴とするソケットカバーを提供する。
【発明の効果】
【００２０】
本発明によれば、ランプソケット及びこれを有する表示装置は、ランプのリード端子及びソケット端子の結合力を維持させる金属材質のソケットカバーを含み、その結果、ソケットカバーは、熱に対して耐久性を有してリード端子及びソケット端子との間の接触が安定である。したがって、表示装置を長い間の時間駆動しても、表示機能に問題が発生しない表示装置を提供できる。
【発明を実施するための最良の形態】
【００２１】
本発明の詳細な説明は、本発明の好ましい実施の形態を参照して説明するが、該当技術分野の当業者、又は、該当技術分野における通常の知識を有する者であれば、特許請求の範囲に記載の本発明の思想及び技術領域から外れない範囲内で、本発明を多様修正及び変更できることが分かる。
以下、図面を参照して、本発明の好ましい実施形態を詳細に説明する。本発明の実施の形態は、様々な形態に変形されることができ、本発明の範囲が後述の実施の形態に限定されない。却って下記の実施の形態は、本発明よって開示された技術思想をより明確にし、本発明の属する技術分野における通常の知識を有する者に本発明をより詳細に説明するために提供される。従って、本発明の範囲が後述の実施の形態に限定されると解釈されてはならない。また、図面に示す層及び領域の大きさは、より明白な説明を強調するために誇張することができ、図面上に同一な参照番号は同一な構成要素を示す。
【００２２】
図１は、本発明の第１実施形態に従うランプ及びインバータと結合されたランプソケットの分解斜視図である。
図１に示すように、前記ランプソケット１５０は、プラスチック材質で形成されたベースボディ１５５、前記ベースボディ１５５に収納されて前記ランプのリード端子１３２と電気的に接触する第１ソケット端子１８０、前記ベースボディ１５５に収納されてインバータ１０５のインバータ端子１０８と電気的に結合する第２ソケット端子(図２Ａの１９６)及び前記ベースボディ１５５の第１ソケット端子１８０と前記ベースボディ１５５との間に挿入されるソケットカバー１６０を含む。
【００２３】
前記ベースボディ１５５の下端部には、前記インバータ端子１０８を受容する端子挿入部１５７が形成される。前記端子挿入部１５７に前記インバータ端子１０８が挿入されると、前記インバータ１０５から提供される電源は、前記第２ソケット端子(図２Ａの１９６)を通して前記第１ソケット端子１８０に伝達される。また、前記第１ソケット端子１８０に伝達された前記電源は、前記第１ソケット端子１８０と結合したリード端子１３２で伝達されて前記ランプを駆動させる。
【００２４】
前記ベースボディ１５５は、部分的に除去されてランプ支持部１５６が形成され、前記ランプ支持部１５６にランプボディ１３０が収納される。前記ランプ支持部１５６に前記ランプボディ１３０の一部分が安着して前記ランプボディ１３０が前記ベースボディ１５５に支持される。
前記ソケットカバー１６０は、金属性材質で形成される。前記ソケットカバー１６０は、前記第１ソケット端子１８０と結合するように前記第１ソケット端子１８０と前記ベースボディ１５５との間に収納される。前記ソケットカバー１６０は、前記第１ソケット端子１８０の両端部を支持して前記第１ソケット端子１８０が前記リード端子１３２をグリップすることを維持させる。
【００２５】
本発明の実施の形態においては、前記ソケットカバー１６０は、金属のみからなるが、前記ソケットカバー１６０は、プラスチック及び前記プラスチックの表面をカバーする金属からなることもある。すなわち、上記ソケットカバー１６０の表面が金属でコーティングされる場合に、前記プラスチックは、前記ベースボディ１５５と同一な物質である事もあり、前記ソケットカバー１６０は、熱によって変形されない。
【００２６】
図２Ａは、図１のI-I’を切り取る断面図であり、図２Ｂは、図１に図示されたランプソケットのベースボディを部分的に除去して示す斜視図であり、図３は、本発明の第１実施形態によるソケットカバーの斜視図である。
図２Ａ、図２Ｂ及び図３に示すように、前記第１ソケット端子１８０は、第１補助端子１９１、第２補助端子１９２及び前記第１補助端子１９１と前記第２補助端子１９２を電気的に連結する第１連結部１９５を含む。
【００２７】
前記第１補助端子１９１及び第２補助端子１９２は、前記リード端子１３２の両端部をグリップするクランプの形状を有する。前記第１及び第２補助端子１９１、１９２は、前記第１連結部１９５によって前記第２ソケット端子１９６と電気的に連結する。
前記ソケットカバー１６０は、前記第１補助端子１９１の一側部と相接する第１支持部１６２、前記第２補助端子１９２の一側部と相接する第２支持部１６３、前記第１支持部１６２を前記第２ソケット端子１９６が位置した方向に延長させた第１結合部１６４、前記第２支持部１６３を前記第２ソケット端子１９６が位置した方向に延長させた第２結合部１６５、及び前記第１支持部１６２から前記第２支持部１６３側に延長される第２連結部１６８を含む。
【００２８】
また、前記ソケットカバー１６０は、フッキング部（ｈｏｏｋｉｎｇ  ｐｏｒｔｉｏｎ）１６１をさらに含み、前記フッキング部１６１は、前記第２連結部１６８をＤ方向に連続的にベンディング（ｂｅｎｄｉｎｇ）して形成される。
前記フッキング部１６１は、前記ソケットカバー１６０と前記リード端子１３２が相接しないように前記Ｄ方向に凹凸された部分であり、前記リード端子１３２の長さによって前記フッキング部１６１が前記ソケットカバー１６０に含まれるかどうかが決定される。
【００２９】
前記第１及び第２補助端子１９１、１９２は、前記第１支持部１６２及び第２支持部１６３に支持されて前記リード端子１３２をより強くグリップできる。すなわち、前記第１及び第２支持部１６２、１６３が第１及び第２補助端子１９１、１９２を支持する力によって前記リード端子１３２が前記第１及び第２補助端子１９１、１９２により強くグリップされる。
【００３０】
前記リード端子１３２と前記第１及び第２補助端子１９１、１９２との間に電気的に接触が不安定であれば、前記リード端子１３２と隣接した領域にスパークが発生される。しかしながら、前記ソケットカバー１６０の材質は、金属であるため、前記ソケットカバー１６０は、前記スパーク及び前記スパークによる熱による外形的変形が発生しない。したがって、前記ソケットカバー１６０は、前記スパーク及び前記スパークの熱を受けても、前記第１及び第２補助端子１９１、１９２が前記リード端子１３２をグリップする力を維持させる。
【００３１】
前記第１結合部１６４は、前記第１支持部１６２を前記第２ソケット端子１９６が位置した方向に延長され、その延長された部分に第１突出部１６４ａ、１６４ｂを有する。前記ベースボディ１５５は、上部に前記第１結合部１６４が挿入されて前記ソケットカバー１６０を前記ベースボディ１５５と結合させることができる第１ボディ結合部１５８を有する。
【００３２】
前記第１ボディ結合部１５８は、前記第１結合部１６４を受容できるように前記ベースボディ１５５の所定領域が除去された溝であり、前記溝の一側内側壁には、前記第１突出部１６４ａ、１６４ｂを受容する結合溝(図示せず）が形成されて前記第１結合部１６４と前記第１ボディ結合部１５８は、堅固に結合することができる。
また、前記第２結合部１６５は、前記第２支持部１６３を前記第２ソケット端子１９６が位置した方向に延長され、その延長された部分に第２突出部１６５ａ、１６５ｂを有する。前記ベースボディ１５５は、上部に前記第２結合部１６５が挿入されて前記ソケットカバー１６０を前記ベースボディ１５５と結合させることができる第２ボディ結合部１５９を有する。
【００３３】
前記第２ボディ結合部１５９は、前記第２結合部１６５を受容できるように前記ベースボディ１５５の所定領域が除去された溝であり、前記溝の一側内側壁には、前記第２突出部１６５ａ、１６５ｂを受容する結合溝(図示せず）が形成されて前記第２結合部１６５と前記第２ボディ結合部１５９は、堅固に結合することができる。
図４は、図１の平面図である。
【００３４】
図４に示すように、前記第１補助端子１９１及び前記第２補助端子１９２は、前記リード端子１３２をグリップする。また、前記ソケットカバーの第１支持部１６２及び第２支持部１６３によって前記第１及び第２補助端子１９１、１９２は、前記リード端子１３２をより強くグリップできる。
前記リード端子１３２と隣接した前記ベースボディ１５５の一側端部は、前記ソケットカバーのフッキング部１６１と結合する。前記フッキング部１６１の位置に対応してベースボディは、部分的に除去されて前記フッキング部１６１が安着されるフッキング溝(図示せず）がさらに形成されることができる。
【００３５】
前記リード端子１３２と前記第１及び第２補助端子１９１、１９２との間の接触が不安定であると、前記リード端子１３２を中心にスパークが発生してしまう。したがって、前記リード端子１３２と隣接した前記第１及び第２支持部１６２、１６３には前記スパークによる熱が伝えられる。しかしながら、前記第１及び第２支持部１６２、１６３を含む前記ソケットカバーは、金属材質で形成され、かつ前述のような結合構成であるため、前記熱によって前記ソケットカバーは、外形的に変形されない。したがって、前記ソケットカバーの前記第１及び第２支持部１６２、１６３は、前記第１及び第２補助端子１９１、１９２が前記リード端子１３２をグリップすることを半永久的に維持させて、その結果、前記第１及び第２補助端子１９１、１９２は、前記リード端子１３２に安定的に接触される。
【００３６】
図５は、本発明の第２実施形態によるランプ及びインバータと結合したランプソケットの断面図であり、図６は、本発明の第２実施形態によるソケットカバーの斜視図である。前記第２実施例によるランプソケット(図５の１５０ｂ）と前記第１実施形態によるランプソケット(図２Ａの１５０ａ）を比較した時、ランプソケットに適用されるソケットカバーの形状だけ違う。したがって、図５を説明するにおいて、ソケットカバーを除いた構成要素に対しては、同一な参照番号を併記して、重複した説明は、省略する。
【００３７】
図５及び図６に示すように、ソケットカバー１７０は、前記第１補助端子１９１と相接する第１支持部１７２、前記第２補助端子１９２と相接する第２支持部１７３、前記第１支持部１７２を前記第２ソケット端子１９６が位置した方向に延長させた第１結合部１７４、前記第２支持部１７３を前記第２ソケット端子１９６が位置した方向に延長させた第２結合部１７５、及び前記第１支持部１７２から前記第２支持部１７３側に延長される第２連結部１７９を含む。
【００３８】
また、前記ソケットカバー１７０は、フッキング部１７１をさらに含み、前記フッキング部１７１は、前記第２連結部１７９をＤ方向に連続的にベンディングして形成される。
前記フッキング部１７１は、前記ソケットカバー１７０と前記リード端子１３２が相接しないように前記Ｄ方向に凹凸された部分であり、前記リード端子１３２の長さによって前記フッキング部１６１が前記ソケットカバー１６０に含まれるかどうかが決定される。
【００３９】
前記第１及び第２補助端子１９１、１９２は、前記第１支持部１７２及び第２支持部１７３に支持されて前記リード端子１３２をより強くグリップできる。すなわち、前記第１及び第２支持部１７２、１７３が前記第１及び第２補助端子１９１、１９２を支持する力によって前記リード端子１３２が前記第１及び第２補助端子１９１、１９２により強くグリップされる。
【００４０】
また、前記ソケットカバー１７０は、第１支持部１７２の上端と第２支持部１７３の上端を連結する端子蓋部１７８をさらに含む。
前記端子蓋部１７８の詳細な説明のために、第１補助端子１９１及び第２補助端子１９２をより細分化することができる。前記第１及び第２補助端子１９１は、前記リード端子１３２をグリップするグリップ部１９１ａ、１９２ａ及び上端グリップ部１９１ｂ、１９２ｂを含む。
【００４１】
前記端子蓋部１７８は、金属性材質で形成される。したがって、前記リード端子１３２がグリップ部１９１ａ、１９２ａの上方に離脱されても、離脱されたリード端子１３２’は、前記端子蓋部１７８によって前記上端グリップ部１９１ｂ、１９２ｂと相接する。すなわち、前記端子蓋部１７８は、前記リード端子１３２が前記第１及び第２補助端子１９１、１９２から離脱しても、前記リード端子１３２は、前記第１及び第２補助端子１９１、１９２に安定的に接触される。
【００４２】
また、前記離脱されたリード端子１３２’と前記上端グリップ部１９１ｂ、１９２ｂが接触する部分でスパークが発生しても、前記端子蓋部１７８は、金属の材質を有するので、外形的に変形されない。したがって、前記離脱されたリード端子１３２’及び前記上端グリップ部１９１ｂ、１９２ｂは、安定的に接触できる。
前記第１結合部１７４は、前記第１支持部１７２を前記第２ソケット端子１９６が位置した方向に延長され、その延長された部分に第１突出部１７４ａ、１７４ｂを有する。前記ベースボディ１５５は、上部に前記第１結合部１７４が挿入されて前記ソケットカバー１６０を前記ベースボディ１５５と結合させることができる第１ボディ結合部１５８を有する。
【００４３】
前記第１ボディ結合部１５８は、前記第１結合部１７４を受容できるように前記ベースボディ１５５の所定領域が除去された溝であり、前記溝の一側内側壁には、前記第１突出部１７４ａ、１７４ｂを受容する結合溝(図示せず）が形成されて前記第１結合部１７４と前記第１ボディ結合部１５８は、堅固に結合することができる。
また、前記第２結合部１７５は、前記第２支持部１７３を前記第２ソケット端子１９６が位置した方向に延長され、その延長された部分に第２突出部１７５ａ、１７５ｂを有する。前記ベースボディ１５５は、上部に前記第２結合部１７５を挿入させて前記ソケットカバー１６０を前記ベースボディ１５５と結合させることができる第２ボディ結合部１５９を有する。
【００４４】
前記第２ボディ結合部１５９は、前記第２結合部１７５を受容するように前記ベースボディ１５５の所定領域が除去された溝であり、前記溝の一側内側壁には、前記第２突出部１７５ａ、１７５ｂを受容する結合溝(図示せず）が形成されて前記第２結合部１７５と前記第２ボディ結合部１５９は、かたく結合することができる。
図７は、図５の平面図である。前記第２実施例によるランプソケット(図６の１５０ｂ）と前記第１実施形態によるランプソケット(図４の１５０ａ）を比較した時、ランプソケットに適用されるソケットカバーの形状だけ違う。したがって、図７を説明するにおいて、ソケットカバーを除いた構成要素に対しては、同一な参照番号を併記して、重複した説明は省略する。
【００４５】
図７に示すように 、前記リード端子１３２が前記第１補助端子１９１及び前記第２補助端子１９２にグリップされず、上方に離脱されても、離脱されたリード端子１３２’は、前記端子蓋部１７８と相接する。すなわち、前記端子蓋部１７８は、前記リード端子１３２が前記第１及び第２補助端子１９１、１９２から離脱しても、前記離脱されたリード端子１３２’は、前記第１及び第２補助端子１９１、１９２に安定的に接触される。
【００４６】
図８は、本発明の第３実施形態によるランプ及びインバータと結合したランプソケットの断面図であり、図９は、本発明の第３実施形態によるソケットカバーの斜視図である。前記第１及び第２実施例によるランプソケット(図２Ａの１５０ａ、図５の１５０ｂ）と前記第３実施形態によるランプソケット(図８の１５０c）を比較した時、ランプソケットに適用されるソケットカバーの形状だけ違う。したがって、図８及び図９を説明するにおいて、ソケットカバーを除いた構成要素に対しては、同一な参照番号を併記して、重複した説明は、省略する。
【００４７】
図８及び図９に示すように、ソケットカバー１７０’は、前記第１補助端子１９１と相接する第１支持部１７２’、前記第２補助端子１９２と相接する第２支持部１７３’、前記第１支持部１７２’を前記第２ソケット端子１９６が位置した方向に延長させた第１結合部１７４’、前記第２支持部１７３’を前記第２ソケット端子１９６が位置した方向に延長させた第２結合部１７５’、及び前記第１支持部１７２’から前記第２支持部１７３’側に延長される第２連結部１７９’を含む。
【００４８】
また、前記ソケットカバー１７０’は、フッキング部１７１’をさらに含み、前記フッキング部１７１’は、前記第２連結部１７９’をＤ方向に連続的にベンディングして形成される。
前記フッキング部１７１’は、前記ソケットカバー１７０’と前記リード端子１３２が相接しないように前記Ｄ方向に凹凸された部分であり、前記リード端子１３２の長さによって前記フッキング部１７１’が前記ソケットカバー１６０に含まれるのかどうかが決定される。
【００４９】
ところが、前記ソケットカバー１７０’の前記第１支持部１７２’、前記第２支持部１７３’、前記第１結合部１７４’、前記第２結合部１７５’、前記第２連結部１７９’、及び前記フッキング部１７１’は、ベースボディ１５５の材質と同一なプラスチックで形成される。
前記第１及び第２補助端子１９１、１９２は、前記第１支持部１７２’及び第２支持部１７３’に支持されて前記リード端子１３２をより強くグリップできる。すなわち、前記第１支持部及び第２支持部１７２’、１７３’が前記第１及び第２補助端子１９１、１９２を支持する力によって前記リード端子１３２が前記第１及び第２補助端子１９１、１９２により強くグリップされる。
【００５０】
また、前記ソケットカバー１７０’は、第１支持部１７２’及び第２支持部１７３’に結合され、金属性材質で形成される端子蓋部１７８’をさらに含む。
前記端子蓋部１７８’を詳細に説明するために、第１補助端子１９１及び第２補助端子１９２をより細分化することができる。前記第１及び第２補助端子１９１、１９２は、前記リード端子１３２をグリップするグリップ部１９１ａ、１９２ａ及び上端グリップ部１９１ｂ、１９２ｂを含む。
【００５１】
前記端子蓋部１７８’は、前記端子蓋部１７８’の両端部が前記第１及び第２支持部１７２’、１７３’に付着されて、または、前記端子蓋部１７８’の両端部がベンディングされて前記第１及び第２支持部１７２’、１７３’と結合する。前記端子蓋部１７８’の両端に付加が加わってベンディングされる場合、前記端子蓋部１７８’の弾性によって前記端子蓋部１７８’は前記第１及び第２支持部１７２’、１７３’に固定できる。
【００５２】
前記端子蓋部１７８’は、金属性材質で形成されるので、前記グリップ部１９１ａ、１９２ａによってグリップされたリード端子１３２が上方に離脱されても、前記端子蓋部１７８’によって離脱されたリード端子１３２’は上端グリップ部１９１ｂ、１９２ｂと電気的に接触できる。
また、離脱したリード端子１３２’と前記上端グリップ部１９１ｂ、１９２ｂが接触する部分でスパークが発生しても、前記端子蓋部１７８’は外形的な変形が発生しないだけでなく、前記端子蓋部１７８’は前記離脱されたリード端子１３２’で発生するスパークを遮蔽する。
【００５３】
したがって、前記ソケットカバー１７０’は、前記端子蓋部１７８’を除いた構成要素に対して、前記ベースボディ１５５の材質と同一なプラスチック材質等の非金属材質を有することができる。すなわち、前記ソケットカバー１７０’の端子蓋部１７８’だけ金属性材質で形成しても前記ソケットカバー１７０’は前記リード端子１３２’で発生するスパーク及び前記スパークによる熱に対して耐久性を有することができる。
【００５４】
図１０は、本発明に実施形態による液晶表示装置の斜視図である。
図１０に示すように、前記液晶表示装置５００はバックライトアセンブリ２００及びパネルアセンブリ４００を含む。
バックライトアセンブリ２００は、光供給ユニット２１０、拡散板２２０、光学シート２３０、反射板２４０及びボトムシャーシ（ ｂｏｔｔｏｍ ｃｈａｓｓｉｓ）２５０を含む。
【００５５】
前記光供給ユニット２１０は、光を発生する多数のランプ、前記多数のランプの両端部に形成されたリード端子等と結合する多数のランプソケット及び前記多数のランプソケットを整列させるソケット整列台１５２、１５３を備える。
前記多数のランプは、各々のランプ１００が一方向に延長され、前記多数のランプの長さの方向と直交する方向に離隔されて配置される。また、本発明の一例として、前記多数のランプソケットは、図１に図示されたランプソケット１５０と同一な構成を有するので、多数のランプソケットを構成する各々のランプソケットに対する具体的な説明は省略する。
【００５６】
前記光供給ユニット２１０の上部には、前記拡散板２２０が備わる。前記拡散板２２０は、前記複数のランプから出射される光を拡散して、輝度均一性を向上させる。前記拡散板２２０は、所定の厚さを有するプレート形状を有し、前記ランプ１００から所定間隔で離隔される。前記拡散板２２０は、光を透過させることができる透明な材質であり、前記光を拡散するための拡散剤を含む。
【００５７】
前記拡散板２２０の上部には、前記光学シート２３０が少なくとも一つが備わる。前記光学シート２３０は、前記拡散板２２０から出射された光の経路を再度変更して、輝度特性を向上させる。光学シート２３０においては、光を集光して正面輝度を向上させるプリズムシート、光を拡散して輝度均一性を向上させる拡散シート等がある。
前記反射板２４０は、前記多数のランプの下に備わる。前記反射板２４０は、前記多数のランプから入射された光を反射させて、前記光の利用効率を向上させる。
【００５８】
前記光供給ユニット２１０及び前記反射板２４０は、前記ボトムシャーシ２５０に収納される。前記ボトムシャーシ２５０は、前記反射板２４０が安着する底面２５１及び形成するために前記底面２５１のエッジから延長させて前記光供給ユニット２１０を収納するための収納空間を形成する側壁２５２を含む。
一方、前記バックライトアセンブリ２００は、前記多数の光源に電源を提供するインバータ１０４、１０５をさらに含む。前記インバータ１０４、１０５の一側部には、前記インバータ１０４、１０５の電源を外部に提供できるように多数の端子１０８が形成される。
【００５９】
前記インバータ１０４、１０５は、外部から印加される低電位の交流電源を前記光源１００駆動に適した高電位の交流電源で昇圧して出力する。前記インバータ１０４、１０５は、前記ボトムシャーシ２５０の背面に位置し、前記多数の光源の両端部に各々一つずつ配置される。
また、前記バックライトアセンブリ２００は、前記多数の光源を固定する第１及び第２サイドモールド２８１、２８２をさらに含む。前記第１及び第２サイドモールド２８１、２８２は、前記多数の光の両端部に各々配置される。前記第１及び第２サイドモールド２８１、２８２は、前記ランプホルダが外部に露出されることを防止するために、前記ランプホルダをカバーし、その位置を固定する。前記第１及び第２サイドモールド２８１、２８２の上部には、前記拡散板２２０及び前記光学シート２３０が配置される。前記第１及び第２サイドモールド２８１、２８２は、前記拡散板２２０の端部を支持し、前記拡散板２２０の位置をガイドする。
【００６０】
前記パネルアセンブリ４００は、液晶表示パネル４１０、ソースプリント回路基板４２０、ソーステープキャリヤパッケージ(Ｔａｐｅ Ｃａｒｒｉｅｒ Ｐａｃｋａｇｅ  以下、ＴＣＰと称する)４３０及び多数のゲートＴＣＰ４４０を含む。
前記液晶表示パネル４１０は、多数のランプの上部に配置されて、前記光を用いて前記映像を表示する。前記液晶表示パネル４１０は、二つの基板及び前記二つの基板間に介在された液晶層からなる。前記ソースプリント回路基板４２０は、前記ソースＴＣＰ４３０を通して前記液晶表示パネル４１０と電気的に連結する。前記ソースプリント回路基板４２０は、前記映像信号に対応してデータ駆動信号を出力し、前記データ駆動信号を前記ソースＴＣＰ４３０に提供する。前記ゲートＴＣＰ４４０は、前記液晶表示パネル４１０の一側に付着され、前記ゲート信号を出力する。
【００６１】
前記パネルアセンブリ４００は、前記液晶表示パネル４１０を収納するミドルモールド４８０をさらに含む。前記ミドルモールド４８０は、拡散板２２０及び光学シート２３０の端部を加圧しつつ、ボトムシャーシ２５０の側壁２５２と結合する。前記ミドルモールド４８０は、その大きさが大きくなるほど、一つの一体型に製作し難いので、二つまたは四つに分割された構造を有することができる。
【００６２】
また、前記パネルアセンブリ４００は、前記液晶表示パネル４１０の位置をガイドするトップシャーシ４９０をさらに含む。前記トップシャーシ４９０は、前記ボトムシャーシ２５０と結合して前記液晶表示パネル４１０を前記ミドルモールド４８０に固定する。ここで、前記ソースプリント回路基板４２０は、前記ボトムシャーシ２５０の側壁２５２と前記トップシャーシ４９０との間に配置される。
【００６３】
なお、上記にてプラスチック材質は一例であり、その他の非金属材質も適宜用いることが可能である。
【図面の簡単な説明】
【００６４】
【図１】本発明の第１実施形態によるランプ及びインバータと結合されたランプソケットの分解斜視図である。
【図２Ａ】図１のI-I’を切り取る断面図である。
【図２Ｂ】図１に図示されているランプソケットのベースボディを部分的に除去して示す斜視図である。
【図３】本発明の第１実施形態によるソケットカバーの斜視図である。
【図４】図１の平面図である。
【図５】本発明の第２実施形態によるランプ及びインバータと結合されたランプソケットの断面図である。
【図６】本発明の第２実施形態によるソケットカバーの斜視図である。
【図７】図５の平面図である。
【図８】本発明の第３実施形態によるランプ及びインバータと結合されたランプソケットの断面図である。
【図９】本発明の第３実施形態によるソケットカバーの斜視図である。
【図１０】本発明の第４実施形態による液晶表示装置の分解斜視図である。
【符号の説明】
【００６５】
１００  ランプ
１０４、１０５  インバータ
１５０  ランプソケット
１５２、１５３  ソケット整列台
１６０、１７０  ソケットカバー
２００  バックライトアセンブリ
２２０  拡散板
２３０  光学シート
２４０  反射板
２５０  ボトムシャーシ
２８１、２８２  サイドモールド
４００  パネルアセンブリ
４１０  液晶表示パネル
４２０  データプリント回路基板
４３０、４４０  テープキャリヤパッケージ
４８０  ミドルモールド
４９０  トップシャーシ
５００  液晶表示装置
【図１】
2008117771.tif 000003
【図２Ａ】
2008117771.tif 000004
【図２Ｂ】
2008117771.tif 000005
【図３】
2008117771.tif 000006
【図４】
2008117771.tif 000007
【図５】
2008117771.tif 000008
【図６】
2008117771.tif 000009
【図７】
2008117771.tif 000010
【図８】
2008117771.tif 000011
【図９】
2008117771.tif 000012
【図１０】
2008117771.tif 000013